(57)【要約】      （修正有）【課題】道路等に設置される防音壁の背面板に新たな骨組を必要とせず、防音壁としての機能も維持し、施工性を低下させずに景観性を損なわず、コストの低減、メンテナンス性を高めた太陽光発電付き防音パネルを提供する。【解決手段】定間隔で設置されたＨ形鋼等支柱５の隣り合う支柱５間に防音パネルが上下複数段に取り付けられてなる防音壁において、背面防音パネル３に直接ソーラーパネル２を取り付け、支柱の前面側と背面側に前面防音パネル４とソーラーパネル一体型背面防音パネル２および背面防音パネル３を別々に両側から取り付けることにより生じた空間１０に配線させるようにし、仮にソーラーパネル２等に不具合が生じた時に、その原因となるパネルの取り替えが容易できるようにした。【選択図】図１
0003153965.tif 000002
【実用新案登録請求の範囲】
【請求項１】
定間隔で設置されたＨ形鋼の支柱の隣り合う支柱間に防音パネルが縦方向に複数段に取り付けられ、前面防音パネルと背面防音パネルを分離させられてなる防音壁において、背面防音パネルに直接ソーラーパネルを取り付けて一体化させたことを特徴とするソーラーパネル一体型背面防音パネルを用いた防音壁。
【請求項２】
支柱５の前面側と背面側に前面防音パネル４とソーラーパネル一体型背面防音パネル２および背面防音パネル３を分離して両側から固定金具８を用いて取り付けることにより生じた空間１０に配線させ、ケーブル線７を隠蔽することにより景観を損なわないようにした請求項１に記載のソーラーパネル一体型背面防音パネルを用いた防音壁。
【請求項３】
背面防音パネル３と一体化させたソーラーパネル９から配線コネクター６を各パネルに設け、空間１０に配線させて、縦方向に伸びるケーブル線７と分離できるようにしてソーラーパネルやブロック等に不具合が生じた際に、その原因となるパネルの取り替えが容易にできることにより、メンテナンス性を向上させる請求項１又は請求項２に記載のソーラーパネル一体型背面防音パネルを用いた防音壁。
【請求項４】
背面防音パネル３と一体化させたソーラーパネル９のソーラーパネル部分を任意に角度変更できることを可能とし、太陽光を効率良く受けることができることを特徴とする請求項１から請求項３の何れかに記載のソーラーパネル一体型背面防音パネルを用いた防音壁。
【考案の詳細な説明】
【技術分野】
【０００１】
本発明は、高速道路、一般道路、鉄道等の側道部に沿って設置し、車両の走行等によって発生する騒音公害を防止するための防音板の背面防音パネルに直接ソーラーパネルを取り付けて一体化させるもので、定間隔で設置されたＨ形鋼等支柱の隣り合う支柱間に防音パネルが縦方向に複数段に取り付けられ、前面防音パネルと背面防音パネルを分離させられてなる防音壁に関する。
【背景技術】
【０００２】
従来この技術は住宅の屋根、建築物、地上等に骨組を組んで設置されていて、別途に設置場所や骨組が必要であり、また、取り付け作業も手間がかかっていたためにコストが非常に高くついていたのが現状である。また、従来の防音壁の場合、特許文献１のように、支柱の内部に空間（隙間）がなかったため、配線は外部でしかも別途に、配管、ジョイントボックスが必要で景観も悪く手間も費用もかかっていた。
【先行技術文献】
【特許文献】
【０００３】
【特許文献１】特開平１０−０１８４６７
【考案の概要】
【考案が解決しようとする課題】
【０００４】
従来のソーラーパネル付き防音壁は、ソーラーパネルを取り付けるための架台や、防音パネルと化粧板（背面パネル）が別々に取り付けられているものに、ソーラーパネルを取り付けているものがあり、防音パネル以外に別途の化粧板や骨組が必要となり、防音パネル以外の部材を取り付けることで部品点数が多くなり、作業工程数も多くなることから施工性が悪く、コスト高の要因になっていた。また、防音パネルと一体となっているものでは、取り換えや点検が必要な時に、容易に取り外せないためにメンテナンス性が悪くなっていた。
【０００５】
骨組みや別途の材料が必要なことから、部材が増えることで材料および輸送コストが高くつき、防音壁全体の重量が増えることにより、基礎部や支柱に負担がかかり、橋梁に設置する際は、橋への荷重負担が増大するという問題もあった。
【０００６】
配線をする際は、防音壁の背面側を通すことでソーラーパネル等に不具合が生じた時に防音壁の背面側にまわらなければならなく、作業床を確保するために足場や特殊高所作業車等が必要となり、メンテナンスに多大な労力を要していた。
【０００７】
そこでこの発明は、骨組を必要とせず、防音壁としての機能も維持し、施工性を低下させずに景観性を損なわず、コストの低減、メンテナンス性を高めたソーラーパネル付き防音壁実現することを課題としている。
【課題を解決するための手段】
【０００８】
上記の課題を解決するため、この発明においては、定間隔で設置されたＨ形鋼等支柱の隣り合う支柱間に防音パネルが縦方向に複数段に取り付けられ、前面防音パネルと背面防音パネルを分離させられてなる防音壁において、背面防音パネルに直接ソーラーパネルを取り付けて一体化させることにより、骨組の組立て作業、骨組による重量増加をともに軽減させるようにした。
【０００９】
防音壁用支柱の前面側と背面側に前面防音パネルと背面防音パネルを分離して両側から取り付けることにより生じた空間に配線および制御盤を配置させるようにして、ソーラーパネルやブロック等に不具合が生じた際に、その原因となるパネルの取り替えが容易にできることにより、メンテナンス性が向上するようにした。
【考案の効果】
【００１０】
この発明のソーラーパネル一付防音壁は、環境問題が取り沙汰されている昨今で、ＣＯ２の削減、設置場所の確保が問題となっていることから、新たに設置場所を確保する必要性もなく、既存の構造物や計画中および建設中の道路や施設等に設置が可能である。
【００１１】
防音壁兼用となっていることから、工場で予め防音パネルにソーラーパネルを取り付けて一体化することができるために生産性も向上し、特別な骨組を必要としないので部品点数が低減でき、作業工程数も減るため、施工も容易になり、材料費、輸送費が抑えられるようなり、工事費全体のコストダウンが図れる。
【図面の簡単な説明】
【００１２】
【図１】ソーラーパネル一体型背面防音パネルの取り付け例
【図２】ソーラーパネル一体型背面防音パネルの構造
【図３】ソーラーパネル一体型背面防音パネルで、ソーラーパネルの角度変更をしめす
【図４】（４−ａ）ソーラーパネル一体型背面防音パネルを用いた防音壁の断面図（４−ｂ）ソーラーパネル一体型背面防音パネルを用いた防音壁の背面図
【図５】（５−ａ）ソーラーパネル一体型背面防音パネルを用いた防音壁の平面（５−ｂ）  従来型の防音壁の平面図
【図６】ソーラーパネル一体型背面防音パネルを用いた防音壁の配線図例
【考案を実施するための最良の形態】
【００１３】
以下実施例を説明する。
【実施例】
【００１４】
以下、この発明のソーラーパネル一体型背面防音パネルについて図面に基づいて説明する。図１、図２、図４−ａ、図４−ｂは、ソーラーパネル一体型背面防音パネル２と前面防音パネル４を取り付けた状態である。このソーラーパネル一体型背面防音パネルを用いた防音壁は、定間隔で設置されたＨ形鋼等支柱５の隣り合う支柱５間に、支柱５の前面側と背面側に前面防音パネル４とソーラーパネル一体型背面防音パネル２および背面防音パネル３を別々に両側から固定金具８を用いて取り付ける。
【００１５】
図５−ａ、図５−ｂは、ぞれぞれ、本発明の防音壁の平面、従来例の防音壁の平面を示す。図５−ｂに示すように、従来の防音壁の場合、支柱５の内部に空間１０（隙間）なかったため、配線は外部でしかも別途に、配管、ジョイントボックスが必要で景観も悪く手間も費用もかかっていたが、図１、図２に示すように、支柱５の前面側と背面側に前面防音パネル４とソーラーパネル一体型背面防音パネル２および背面防音パネル３を分離して両側から固定金具８を用いて取り付けることにより生じた空間１０に配線させ、ケーブル線７を隠蔽することにより景観を損なわないようにする。背面防音パネル３と一体化させたソーラーパネル９から配線コネクター６を各パネルに設け、空間１０に配線させて、縦方向に伸びるケーブル線７と分離できるようにしてソーラーパネルやブロック等に不具合が生じた際に、その原因となるパネルの取り替えが容易にできることにより、メンテナンス性が向上する。
【００１６】
図３に示すように、背面防音パネル３と一体化させたソーラーパネル９のソーラーパネル部分を任意に角度変更できることを可能とし、太陽光を効率良く受けることができる。
【００１７】
図６は、１スパン毎の直列系統を集合ブロックとし、各ブロックを並列接続した場合に、不良のパネル（ユニット）が発見された時は、その直列系統のブロックの並列接続部をＯＦＦにし、不良パネルを交換した後、再度ＯＮにする方法により、全体の発電を中断せずにメンテナンスを行うことができる。
【産業上の利用可能性】
【００１８】
ソーラーパネル一体型背面防音パネルを用いた防音壁を、既存の構造物や計画中および建設中の道路や施設等に設置し、環境を考慮した高速道路システムを実現できる。
【符号の説明】
【００１９】
１      防音壁
２      ソーラーパネル一体型背面防音パネル
３      背面防音パネル
４      前面防音パネル
５      防音壁用支柱
６      配線コネクター
７      ケーブル線
８      固定金具
９      ソーラーパネル
１０    空間
１１    従来防音パネル
【図１】
0003153965.tif 000003
【図２】
0003153965.tif 000004
【図３】
0003153965.tif 000005
【図４】
0003153965.tif 000006
【図５】
0003153965.tif 000007
【図６】
0003153965.tif 000008